(57)【要約】【課題】スライド形状やストレート形状の携帯端末において、特別な部品の追加を可能な限り抑えたうえで、操作終了後から一定時間表示されたままとなる画面表示をユーザが見ていない場面では消灯させる。【解決手段】電力制御機能を有する携帯端末において、当該携帯端末の外面に位置し、使用者に対して情報を表示する画面表示部と、前記画面表示部の発する明るさを含めた外部の明るさを、照度として測定する照度センサと、を備え、前記照度センサが前記照度の測定を行い、当該測定した照度が予め定めた閾値以下である場合に前記画面表示部における表示を消灯させる。【選択図】図１
2014147125.tif 000002
【特許請求の範囲】
【請求項１】
電力制御機能を有する携帯端末において、
当該携帯端末の外面に位置し、使用者に対して情報を表示する画面表示部と、
前記画面表示部の発する明るさを含めた外部の明るさを、照度として測定する照度センサと、
を備え、
前記照度センサが前記照度の測定を行い、当該測定した照度が予め定めた閾値以下である場合に前記画面表示部における表示を消灯させることを特徴とする携帯端末。
【請求項２】
電力制御機能を有する携帯端末において、
当該携帯端末の外面に位置し、使用者に情報を提示する画面表示部と、
自らが点灯し、外部に対して発光をする発光部と、
前記発光部の発する明るさを含めた外部の明るさを、照度として測定する照度センサと、
を備え、
前記照度センサが前記照度の測定を行い、当該測定した輝度が予め定めた閾値以下である場合に前記画面表示部における表示を消灯させることを特徴とする携帯端末。
【請求項３】
請求項１又は２に記載の携帯端末において、
前記照度の値がいくつの場合に前記画面表示部の輝度のレベルを変化させるのかを規定しておき、前記測定した照度及び前記規定に応じて前記画面表示部の輝度のレベルを変化させる、若しくは、同じ輝度のレベルを継続させることを特徴とする携帯端末。
【請求項４】
請求項３に記載の携帯端末において、
前記輝度のレベルの変化、若しくは、継続、を行った後に所定の期間待機をし、当該待機が終了後に未だ前記画面表示部が表示をしている状態である場合は再度前記照度の測定を行うことを特徴とする携帯端末。
【請求項５】
請求項１乃至４の何れか１項に記載の携帯端末において、
前記照度センサが全く明るさを検出しなかった場合に測定される照度の値を前記閾値としていることを特徴とする携帯端末。
【請求項６】
請求項１乃至５の何れか１項に記載の携帯端末において、
前記画面表示部が情報を表示している間のみ、前記照度センサが動作することを特徴とする携帯端末。
【請求項７】
携帯端末の外面に位置し、使用者に対して情報を表示する画面表示部と、前記画面表示部の発する明るさを含めた外部の明るさを、照度として測定する照度センサと、を備えた携帯端末における電力制御方法において、
前記照度センサが前記照度の測定を行い、当該測定した照度が予め定めた閾値以下である場合に前記画面表示部における表示を消灯させることを特徴とする電力制御方法。
【請求項８】
携帯端末の外面に位置し、使用者に対して情報を表示する画面表示部と、自らが点灯し、外部に対して発光をする発光部と、前記発光部の発する明るさを含めた外部の明るさを、照度として測定する照度センサと、を備えた携帯端末における電力制御方法において、
前記照度センサが前記照度の測定を行い、当該測定した照度が予め定めた閾値以下である場合に前記画面表示部における表示を消灯させることを特徴とする電力制御方法。
【請求項９】
電力制御機能を有する携帯端末に組み込まれる電力制御プログラムにおいて、
当該携帯端末の外面に位置し、使用者に対して情報を表示する画面表示部と、
前記画面表示部の発する明るさを含めた外部の明るさを、照度として測定する照度センサと、
を備え、
前記照度センサが前記照度の測定を行い、当該測定した照度が予め定めた閾値以下である場合に前記画面表示部における表示を消灯させる携帯端末としてコンピュータを機能させることを特徴とする電力制御プログラム。
【請求項１０】
電力制御機能を有する携帯端末に組み込まれる電力制御プログラムにおいて、
当該携帯端末の外面に位置し、使用者に情報を提示する画面表示部と、
自らが点灯し、外部に対して発光をする発光部と、
前記発光部の発する明るさを含めた外部の明るさを、照度として測定する照度センサと、
を備え、
前記照度センサが前記照度の測定を行い、当該測定した輝度が予め定めた閾値以下である場合に前記画面表示部における表示を消灯させる携帯端末としてコンピュータを機能させることを特徴とする電力制御プログラム。
【発明の詳細な説明】
【技術分野】
【０００１】
本発明は携帯端末における省電力制御に関する。
【背景技術】
【０００２】
現在は携帯電話機をはじめとする携帯端末は、多機能化によって消費電流が増加しているため、満充電からのユーザの使用可能時間が短くなってしまい、ユーザの利便性を損ねている。そのため、不必要な消費電流を削減することでユーザの使用可能時間を長くすることが大きな課題となっている。特に携帯電話機のディスプレイ（表示部）の制御は消費電流の削減において大切な点の一つである。そこで、このようなディスプレイの制御について説明する。
【０００３】
説明するための具体例として、折り畳みの形状の携帯電話端末である携帯電話機５００を図８に示す。折り畳みの形状では、ユーザが端末使用時の形状（図８、ａ：使用時の形状）のときはＬＣＤ（Liquid Crystal Display）部５２０が外面であるが、ユーザが端末を使用していないときの形状（図８、ｂ：使用していない時の形状）では、ＬＣＤ部５２０が外面ではなくなるため、ユーザが端末を使用していないときはＬＣＤの画面表示を消灯することができる。よって無駄な消費電流の消費を避けることができる。
【０００４】
しかし、最近の携帯電話端末では、図９に示すスライド形状や図１０に示すストレート形状が多くなっている。
【０００５】
図９に示すスライド形状の携帯電話機６００では、ユーザが端末使用時の形状（図９、ａ：使用時の形状）でも使用していないときの形状（図９、ｂ：使用していない時の形状）でもＬＣＤ部６２０が常時外面である。また、同様に図１０に示すストレート形状の携帯電話機７００でもＬＣＤ部７２０が常時外面となる。そのため、ユーザの操作終了後から所定の時間が経過するまでは、ＬＣＤの画面表示をしたままの状態となってしまう。それにより、スライド形状やストレート形状では消費電流が多くなるため、端末使用可能時間が短くなってしまいユーザの利便性を損ねている。
【０００６】
このような問題を解消するには、ユーザが操作を終了し画面を見ていない状態となった際は、これを素早く検知し、速やかに画面表示を消灯することが必要である。
【０００７】
このようなユーザが操作を終了し画面を見ていない状態となった状態の検知方法として、携帯電話機が鞄や衣服のポケットなどの閉塞空間に収納されたことを検知するという技術が特許文献１に記載されている。特許文献１に記載の技術では周囲環境の検出手段を具備する携帯電話機として、発振波を発生する発振部と、この発振部からの発振波の入力レベルを検出する検出部を具備する携帯電話機が開示されている。かかる携帯電話機は、前述の検出部により検出された発振波の入力レベルを基準値と比較することにより周囲環境を検出することができる。
【先行技術文献】
【特許文献】
【０００８】
【特許文献１】特開２００２−１５２３７０号公報
【発明の概要】
【発明が解決しようとする課題】
【０００９】
しかしながら、特許文献１に開示された携帯電話機では、発振部及び検出部といった検出専用の部品の追加等必要となる。そのため、基板実装面、コスト面における負荷が大きくなるという問題がある。
【００１０】
そこで本発明は、スライド形状やストレート形状の携帯端末において、特別な部品の追加を可能な限り抑えたうえで、操作終了後から一定時間表示されたままとなる画面表示をユーザが見ていない場面では消灯させることが可能な照度センサを搭載した携帯端末、携帯端末の省電力制御方法及び携帯端末の省電力制御プログラムを提供することを目的とする。
【課題を解決するための手段】
【００１１】
本発明の第１の観点によれば、電力制御機能を有する携帯端末において、当該携帯端末の外面に位置し、使用者に対して情報を表示する画面表示部と、前記画面表示部の発する明るさを含めた外部の明るさを、照度として測定する照度センサと、を備え、前記照度センサが前記照度の測定を行い、当該測定した照度が予め定めた閾値以下である場合に前記画面表示部における表示を消灯させることを特徴とする携帯端末が提供される。
【００１２】
本発明の第２の観点によれば、電力制御機能を有する携帯端末において、当該携帯端末の外面に位置し、使用者に情報を提示する画面表示部と、自らが点灯し、外部に対して発光をする発光部と、前記発光部の発する明るさを含めた外部の明るさを、照度として測定する照度センサと、を備え、前記照度センサが前記照度の測定を行い、当該測定した輝度が予め定めた閾値以下である場合に前記画面表示部における表示を消灯させることを特徴とする携帯端末が提供される。
【００１３】
本発明の第３の観点によれば、携帯端末の外面に位置し、使用者に対して情報を表示する画面表示部と、前記画面表示部の発する明るさを含めた外部の明るさを、照度として測定する照度センサと、を備えた携帯端末における電力制御方法において、前記照度センサが前記照度の測定を行い、当該測定した照度が予め定めた閾値以下である場合に前記画面表示部における表示を消灯させることを特徴とする電力制御方法が提供される。
【００１４】
本発明の第４の観点によれば、携帯端末の外面に位置し、使用者に対して情報を表示する画面表示部と、自らが点灯し、外部に対して発光をする発光部と、前記発光部の発する明るさを含めた外部の明るさを、照度として測定する照度センサと、を備えた携帯端末における電力制御方法において、前記照度センサが前記照度の測定を行い、当該測定した照度が予め定めた閾値以下である場合に前記画面表示部における表示を消灯させることを特徴とする電力制御方法が提供される。
【００１５】
本発明の第５の観点によれば、電力制御機能を有する携帯端末に組み込まれる電力制御プログラムにおいて、当該携帯端末の外面に位置し、使用者に対して情報を表示する画面表示部と、前記画面表示部の発する明るさを含めた外部の明るさを、照度として測定する照度センサと、を備え、前記照度センサが前記照度の測定を行い、当該測定した照度が予め定めた閾値以下である場合に前記画面表示部における表示を消灯させる携帯端末としてコンピュータを機能させることを特徴とする電力制御プログラムが提供される。
【００１６】
本発明の第６の観点によれば、電力制御機能を有する携帯端末に組み込まれる電力制御プログラムにおいて、当該携帯端末の外面に位置し、使用者に情報を提示する画面表示部と、自らが点灯し、外部に対して発光をする発光部と、前記発光部の発する明るさを含めた外部の明るさを、照度として測定する照度センサと、を備え、前記照度センサが前記照度の測定を行い、当該測定した輝度が予め定めた閾値以下である場合に前記画面表示部における表示を消灯させる携帯端末としてコンピュータを機能させることを特徴とする電力制御プログラムが提供される。
【発明の効果】
【００１７】
本発明によれば、照度センサを搭載した携帯端末において当該照度センサを用いてユーザの利用の有無を判別できることから、特別な部品の追加を可能な限り抑えたうえで、操作終了後から一定時間表示されたままとなる画面表示をユーザが見ていない場面では消灯させることが可能となる。
【図面の簡単な説明】
【００１８】
【図１】第１の実施形態における照度センサが搭載された携帯端末の例を示す図である。
【図２】第１の実施形態における照度センサが搭載された携帯端末の構成を示すブロック図である。
【図３】第１の実施形態における照度センサで検出された照度によりＬＣＤバックライトの輝度を変化させるフローチャートである。
【図４】照度センサで検出された照度により変化させるＬＣＤバックライトの輝度レベルを示す図である。
【図５】第２の実施形態におけるユーザが使用していないと判断したときにＬＣＤの画面表示を消灯させる制御フローチャートである。
【図６】第２の実施形態における携帯端末の例を示す図である。
【図７】第２の実施形態における照度センサが搭載された携帯端末の構成を示すブロック図である。
【図８】折り畳み形状の携帯電話の例を示す図である。
【図９】スライド形状の携帯電話の例を示す図である。
【図１０】ストレート形状の携帯電話の例を示す図である。
【発明を実施するための形態】
【００１９】
まず、本発明の実施形態の概略を説明する。本発明の実施形態は、概略、照度センサを搭載した携帯端末に関するもので、ＬＣＤ部が常時外面となる位置に搭載している携帯端末において、周囲の明るさ及びＬＣＤバックライトの明るさを照度センサで測定し、明るさに応じてユーザの使用状況を判断し携帯端末の省電力制御を行うというものである。すなわち、照度センサを用いてユーザがＬＣＤの画面表示を見ていない状況であることを判断し、ＬＣＤの画面表示を消灯させる。照度センサが周りの明るさを検出する際、周りが真っ暗の状態でもＬＣＤの画面表示がされているときはＬＣＤバックライトの明るさを僅かに検出する。ＬＣＤの画面表示がされているときに照度センサがＬＣＤバックライトの明るさを検出しないときは、照度センサ部が完全に塞がれている状態であるため、ユーザが携帯端末をポケット等に入れている状態と考えられる。その場合にユーザがＬＣＤの画面表示を見ていないと判断し、ＬＣＤの画面表示を消灯させることで消費電流を削減しユーザに端末の使用可能時間をより長く提供する。
【００２０】
次に、本発明の実施形態について図面を用いて詳細に説明する。
【００２１】
［実施形態１］
実施形態１として、照度センサを搭載した携帯端末である携帯電話機１００を図１に示す。なお、本実施形態の説明においては、便宜上携帯電話機を適用対象としているが、これは本実施形態の適用対象を限定するものではない。本実施形態は、携帯電話機以外にもＰＨＳ（Personal Handy-phone System）、ＰＤＡ（Personal Digital Assistant）等の機器にも適用できる。またそれ以外にも、例えばデジタルカメラ、携帯音楽プレイヤー、携帯ゲーム機、携帯テレビ、電子辞書、電子手帳といった用途に適用できる。
【００２２】
図１を参照すると、携帯電話機１００はＬＣＤ１１、ＬＣＤバックライト１２、照度センサ１３及びボタン１４を有している。そして、ＬＣＤ１１とＬＣＤバックライト１２と照度センサ１３が同じ面に搭載され、端末操作用として複数のボタン１４が搭載されていることを示している。
【００２３】
ＬＣＤ１１は、液晶ディスプレイである。また、ＬＣＤバックライト１２はＬＣＤ１１のバックライトであり、ＬＣＤ１１及びＬＣＤバックライト１２が協働することによりユーザに情報を提示するための表示部として機能する。なお、本実施形態において表示部として用いることができるのは液晶ディスプレイに限定されるものではない。例えば有機ＥＬ（Organic Electro-Luminescence：有機エレクトロルミネッセンス）ディスプレイを用いるようにしてもよい。
【００２４】
照度センサ１３は、周りの明るさを検出することができるセンサである。照度センサ１３で検出された周りの明るさによってＬＣＤバックライト１２の輝度を変化させ、無駄な消費電流を削減するために用いるものである。なお照度センサ１３は、特定の構造をしている必要はなく、一般的な汎用のセンサを用いることが可能である。本実施形態では、図１に示すＬＣＤ１１と照度センサ１３が同じ面に搭載されているため、周りが真っ暗の状態でもＬＣＤバックライト１２の明るさを照度センサ１３が僅かに検出するものとする。
【００２５】
ボタン１４はユーザからの入力を受け付ける部分である。なお、当該入力部分はボタンに限定されるものではなく、他のデバイスやタッチパネル等で実現されていてもよい。
【００２６】
図２は、図１で示した照度センサを搭載した携帯電話機１００の構成を示すブロック図である。
【００２７】
携帯電話機１００は、図１に示したＬＣＤ１１、ＬＣＤバックライト１２、照度センサ１３及びボタン１４に加えて、制御部２０を有している。制御部２０は、プログラムを制御するＣＰＵ２１と、プログラムを格納するメモリ２２を有している。本実施形態ではＣＰＵ２１がメモリ２２に格納されているプログラムを読み出し、ＣＰＵが当該プログラムを実行することにより実現される。
【００２８】
なお、図２中の矢印はデータのやり取りの方向を示すものである。
【００２９】
次に図３のフローチャートを参照して本実施形態のような構成を有する携帯電話機における一般的な動作を関連技術の動作として説明する。
【００３０】
具体的には照度センサ１３により周りの明るさを検出し、検出された照度に応じてＬＣＤバックライト１２の輝度を変化させる動作を説明する。
【００３１】
まず、照度センサ１３を起動するのは、ＬＣＤ１１が表示されているときのみとするため、照度センサ１３を起動するのはＬＣＤ１１の画面表示が開始されたときとする（ステップＳ３０１）。
【００３２】
ステップＳ３０１における照度センサ１３起動後、照度センサ１３はまず周りの明るさを測定する（ステップＳ３０２）。
【００３３】
次に、測定された照度に応じてＬＣＤバックライト１２の輝度レベルを変化させる（ステップＳ３０３）。若しくは、照度の値によっては、同じ輝度レベルを継続する。
【００３４】
ここで、照度に応じて変化させる輝度レベルを示す表を図４に示す。
【００３５】
図４に示す例では、変化させるＬＣＤバックライト１２の輝度レベルを３段階としている。また、照度センサが最も明るいと判定したときの照度を１００とし明るさを全く検出しないときの照度を０として表している。検出された照度が１００から７１のときは輝度レベルを３に設定し、７０から４１のときは輝度レベルを２に設定し、４０から０のときは輝度レベルを１に設定することを示している。
【００３６】
次に、ＬＣＤバックライト１２の輝度変化を１秒毎に行うため、輝度変化の後に１秒待機する（ステップＳ３０４）。そして、１秒の待機が終了後、ＬＣＤ１１が画面表示中かどうか確認する（ステップＳ３０５）。なお、ここで待機時間を「１秒」としたのはあくまで例示である。待機時間は、使用環境等に応じて任意の長さに設定すればよい。
【００３７】
ここで、画面表示中であれば（ステップＳ３０５においてＹＥＳ）、照度センサ１３による照度測定（ステップＳ３０２）に戻る。一方、ＬＣＤ１１の画面表示が消灯している場合は（ステップＳ３０５においてＮＯ）、照度センサ１３を終了させる（ステップＳ３０６）。
【００３８】
上述の制御を行うことにより照度に応じた適切な輝度レベルに変更することが可能となる。
【００３９】
上述の制御においてＬＣＤ１１の画面表示が消灯するのは、例として、ボタンによる端末操作終了から無操作状態が１分経過したときとする。そのため操作終了後の１分間は、ユーザがＬＣＤ１１の画面表示を見ていない状態でもＬＣＤ１１の画面表示がされたままの状態となる。そこで、本発明の実施形態ではユーザがＬＣＤ１１の画面表示を見ていないと判断したときにＬＣＤ１１の画面表示を消灯させる制御を追加する。
【００４０】
本発明でユーザがＬＣＤ１１の画面表示を見ていないと判断するために照度センサ１３を用いる。
【００４１】
図３のフローチャートで示した動作にＬＣＤ１１の画面表示を消灯させる制御を追加したフローチャートを図５に示す。
【００４２】
図５では照度センサ１３を起動し（ステップＳ４０１：図３におけるステップＳ３０１に相当）、照度センサ１３による照度測定（ステップＳ４０２：図３におけるステップＳ３０２に相当）後に、測定した照度をＬＣＤ表示消灯閾値と比較する（ステップＳ４０３）。
【００４３】
ステップＳ４０３における比較の結果、ＬＣＤ表示消灯閾値以下と判定された場合は（ステップＳ４０３においてＹＥＳ）、ＬＣＤの画面表示を消灯させる（ステップＳ４０７）。そして、画面表示消灯後は照度センサ１３を起動させる必要はないので、照度センサ１３の動作を終了させる（ステップＳ４０７）。
【００４４】
一方、ＬＣＤ表示消灯閾値より大きいと判定された場合は（ステップＳ４０３においてＮＯ）、ＬＣＤバックライト輝度変化（ステップＳ４０４）を行う。なお、その後のステップＳ４０５、４０６、４０８の動作は、それぞれ図３のステップＳ３０４、３０５、３０６の動作と同じであるため説明を省略する。
【００４５】
ここで、本実施形態のＬＣＤ表示消灯閾値に関して説明を加える。
【００４６】
例としてＬＣＤ表示消灯閾値を０とすると、照度センサ１３により測定された照度が０であるときＬＣＤの画面表示を消灯させることとなる。本実施形態では周りが真っ暗の状態のときでもＬＣＤバックライト部１２の明るさを照度センサ部１３が僅かに検出する。そのとき検出される照度を１０とする。照度センサが照度０を検出するときは、照度センサ部１３が完全に塞がれている状態であるため、ユーザが端末をポケット等に入れた状態やＬＣＤ部１１と照度センサ部１３の搭載されている面が伏せて置かれている状態であると考えられる。この状態はユーザが端末操作を終了しＬＣＤの画面表示を見ていないと判断できるため、ＬＣＤの画面表示を消灯させる。
【００４７】
図３を用いて説明した一般的な制御フローでは、端末操作後１分間ＬＣＤの画面表示がされたままとなり、不必要な電流を消費している。
【００４８】
一方、本実施形態では端末をポケット等に入れた状態やＬＣＤ部１１と照度センサ部１３の搭載されている面が伏せて置かれている状態を検出し、ＬＣＤの画面表示を消灯させることから、ユーザの利便性を損ねることなく消費電流を削減できるという効果を奏する。そして、消費電流を削減することにより、ユーザに満充電からの使用可能時間をより長く提供することができる。
【００４９】
［実施形態２］
実施形態２で示す携帯電話機２００の例を図６に示す。また、携帯電話機２００の構成を示すブロック図として図７を示す。
実施形態２の携帯電話機２００と実施形態１の携帯電話機１００との相違点は２つある。
【００５０】
第１の相違点はＬＣＤ１１と照度センサ１３の搭載位置が離れたことによりＬＣＤバックライト１２の明るさを照度センサ１３が検出しないことである。また、第２の相違点は、照度センサ１３の近くにＬＥＤ１５が搭載されたことによりＬＥＤ１５の明るさを照度センサ１３が僅かに検出することである。なお、このＬＥＤ１５は本願発明の「発光部」に相当する部分である。
【００５１】
実施形態１でユーザが携帯電話機を使用していないと判断するのはＬＣＤバックライト１２の明るさを照度センサが検出しないときであるとしたが、実施形態２ではＬＥＤ１５の明るさを照度センサ１３が検出しないときであるとする。実施形態２の制御フローは図５に示されている実施形態１の制御フローと同じであるが、ＬＥＤ１５は端末が起動中であることをユーザに通知するために、端末起動中にＬＥＤ１５は常時点灯している状態であり、周りが真っ暗のときＬＥＤ１５の明るさのみを照度センサ１３が検出したときの照度を１０とする。照度センサによる照度測定後（ステップＳ４０２）、ＬＣＤ表示消灯閾値と比較する（ステップＳ４０３）。
【００５２】
ＬＣＤ照度閾値を０としたときに照度センサが照度０を検出する場合は、照度センサ１３が完全に塞がれている状態であるため、ユーザが端末をポケット等に入れた状態や照度センサ１３とＬＥＤ１５の搭載されている面が伏せて置かれている状態であると考えられる。この状態はユーザが端末操作を終了しＬＣＤ１１の画面表示を見ていないと判断できるため、ＬＣＤの画面表示を消灯させる。
【００５３】
なお、ＬＣＤ部が複数存在するような携帯端末であれば、折り畳み式の端末であっても本実施形態を適用させることができる。具体的には折り畳んだ場合であっても外部に露出するディスプレイ（いわゆるサブディスプレイ）が存在し、折り畳んだ場合であっても外部に露出する照度センサがあるのであれば、このサブディスプレイを対象として本実施形態を適用させることができる。
【００５４】
また、本発明の実施形態である照度センサを搭載した携帯端末は、ハードウェアにより実現することもできるが、コンピュータをその照度センサを搭載した携帯端末として機能させるためのプログラムをコンピュータがコンピュータ読み取り可能な記録媒体から読み込んで実行することによっても実現することができる。
【００５５】
また、本発明の実施形態による携帯端末の省電力制御方法は、ハードウェアにより実現することもできるが、コンピュータにその方法を実行させるためのプログラムをコンピュータがコンピュータ読み取り可能な記録媒体から読み込んで実行することによっても実現することができる。
【００５６】
また、上述した実施形態は、本発明の好適な実施形態ではあるが、上記実施形態のみに本発明の範囲を限定するものではなく、本発明の要旨を逸脱しない範囲において種々の変更を施した形態での実施が可能である。
【符号の説明】
【００５７】
１００  携帯電話機
１１  ＬＣＤ
１２  ＬＣＤバックライト
１３  照度センサ
１４  ボタン
１５  ＬＥＤ
２０  制御部
２１  ＣＰＵ
２２  メモリ
５００、６００、７００  携帯電話機
５１０、６１０、７１０  照度センサ部
５２０、６２０、７２０  ＬＣＤ部
５３０、６３０、７３０  ボタン部
【図１】
2014147125.tif 000003
【図２】
2014147125.tif 000004
【図３】
2014147125.tif 000005
【図４】
2014147125.tif 000006
【図５】
2014147125.tif 000007
【図６】
2014147125.tif 000008
【図７】
2014147125.tif 000009
【図８】
2014147125.tif 000010
【図９】
2014147125.tif 000011
【図１０】
2014147125.tif 000012